(57)【要約】【課題】書棚等に並べられた複数の書籍の背表紙を一枚のシートで覆うことで簡単に目隠しをすることができ、書籍の冊数が少しずつ増えていった場合でも簡単に巻き直すことで一枚のシートで対応できる装飾シートを提供する。【解決手段】書棚等に並べられた複数の書籍の全体に巻き回して背表紙を覆うことで実際に並べられている書籍の背表紙を隠してダミーの書籍の背表紙を見せるための装飾シートであって、所定の判型の書籍高さを有する横長のシート本体と、前記シート本体に配置されるシート本体の高さに相当するダミー背表紙を横方向に複数並べて配したダミー背表紙配置領域とを有する装飾シートを提供する。【選択図】図２
2015107597.tif 000002
【特許請求の範囲】
【請求項１】
書棚等に並べられた複数の書籍の全体に巻き回して背表紙を覆うことで実際に並べられている書籍の背表紙を隠してダミーの書籍の背表紙を見せるための装飾シートであって、
所定の判型の書籍高さを有する横長のシート本体と、
前記シート本体に配置されるシート本体の高さに相当するダミー背表紙を横方向に複数並べて配したダミー背表紙配置領域と、
を有する装飾シート。
【請求項２】
さらに複数の書籍に巻き回した際に端部に配置される書籍の表表紙又は／及び裏表紙に相当する前記シート本体の部分に前記所定の判型のサイズの着脱自在なダミー表表紙シート又は／及びダミー裏表紙シートを有する請求項１に記載の装飾シート。
【請求項３】
前記ダミー背表紙は前記シート本体に対して着脱自在である請求項１又は２に記載の装飾シート。
【請求項４】
前記シート本体は透明シートである請求項３に記載の装飾シート。
【請求項５】
前記シート本体は可撓性の薄膜ディスプレイである請求項１又は２に記載の装飾シート。
【発明の詳細な説明】
【技術分野】
【０００１】
本発明は、書籍を覆うための装飾シートに関する。
【背景技術】
【０００２】
自宅に人を招いた場合などに、自宅の書棚等に多くのマンガなどの書籍が並べられているのを他人に見られて恥ずかしい思いをすることがある。また、どのような本を読んでいるかということは個人のプライバシーにかかわるという側面もあるので、他人に知られたくないと思うこともある。さらに、こうした書籍の表紙やタイトルがむき出しになっていると雑然とした印象を与え、見た目にもよくないと感じることもある。そこで、これらの書籍のタイトルなどを他人に知られないようにしたり、雑然とした印象をなくしたりするための工夫として、これらの書籍の背表紙などをシート状の部材で覆って目隠しをするという方法が知られている。例えば、非特許文献１には、書籍の背表紙に着脱可能なマスキングテープを貼りつける方法や、書籍カバーを裏返して背表紙がすべて白色の無地のものとなるようにする方法、さらには同色系で統一された別の書籍カバーを取り付ける方法などが開示されている（非特許文献１参照）。
【先行技術文献】
【非特許文献】
【０００３】
【非特許文献１】マンガだらけの本棚から生活感をなくす５つのテクニック（ｈｔｔｐ：／／ｍａｔｏｍｅ．ｎａｖｅｒ．ｊｐ／ｏｄａｉ／２１３５８９９２１６８００１９８７０１）
【発明の概要】
【発明が解決しようとする課題】
【０００４】
非特許文献１に記載された方法は、いずれも通常の書籍カバーと同様に一冊の書籍に対して一枚のシート状部材（マスキングテープや書籍カバー）を被せるようにしたものである。しかし、マンガなどの中には、例えば毎月一巻ずつといったペースで逐次発行されていくものがある。このような場合に、冊数が増えていくごとに一冊ずつ新たにシートを取り付けていくのは煩雑である。また、ある程度長期間にわたって発行される書籍のすべて同色系など統一感のあるデザインで装飾されたシートを被せようとする場合、同じようなデザインの装飾シートを急に用意しようとしても困難なことも考えられることから、前もって同じようなデザインを有する相当の分量の装飾シートを準備しておく必要があるが、これも煩雑である。
【０００５】
このような場合、並べられている複数の書籍の背表紙を覆うためのダミー背表紙を複数まとめて描いた一枚のシートでこれら複数の書籍の背表紙をいっぺんに覆うことができれば簡単であり、また書籍の冊数が少しずつ増えていく場合であっても、同じ一枚のシートを被せ直しながら用いていくことができれば、同じようなデザインの装飾シートを予め準備しておく必要もなくなる。
【０００６】
本発明は以上のような課題に鑑みたものである。すなわち、本発明の解決すべき課題は、書棚等に並べられた複数の書籍の背表紙を一枚のシートで覆うことで簡単に目隠しをすることができ、書籍の冊数が少しずつ増えていった場合でも簡単に巻き直すことで一枚のシートで対応できる装飾シートを提供することにある。
【課題を解決するための手段】
【０００７】
以上の課題を解決するため、本発明のうち、第一の発明は、書棚等に並べられた複数の書籍の全体に巻き回して背表紙を覆うことで実際に並べられている書籍の背表紙を隠してダミーの書籍の背表紙を見せるための装飾シートであって、所定の判型の書籍高さを有する横長のシート本体と、前記シート本体に配置されるシート本体の高さに相当するダミー背表紙を横方向に複数並べて配したダミー背表紙配置領域とを有する装飾シートを提供する。
【０００８】
また、第二の発明は、第一の発明を基礎として、さらに複数の書籍に巻き回した際に端部に配置される書籍の表表紙又は／及び裏表紙に相当する前記シート本体の部分に前記所定の判型のサイズの着脱自在なダミー表表紙シート又は／及びダミー裏表紙シートを有する装飾シートを提供する。
【０００９】
また、第三の発明は、第一又は第二の発明を基礎として、前記ダミー背表紙は前記シート本体に対して着脱自在である装飾シートを提供する。
【００１０】
また、第四の発明は、第三の発明を基礎として、前記シート本体は透明シートである装飾シートを提供する。
【００１１】
また、第五の発明は、第一又は第二の発明を基礎として、前記シート本体は可撓性の薄膜ディスプレイである装飾シートを提供する。
【発明の効果】
【００１２】
本発明により、書棚等に並べられた複数の書籍の背表紙を一枚のシートで覆うことができ、書籍の冊数が少しずつ増えていった場合でも簡単に巻き直すことで一枚のシートで対応できる装飾シートを提供することが可能となる。
【図面の簡単な説明】
【００１３】
【図１】実施例１の装飾シートの形状の一例を示す図
【図２】実施例１の装飾シートの使用状態の一例を示す図
【図３】ダミー背表紙の幅と対象書籍の背表紙の幅との関係の一例を示す図
【図４】実施例２の装飾シートの形状の一例を示す図
【図５】実施例３の装飾シートの使用状態の一例を示す図
【図６】実施例４装飾シートの使用状態の一例を示す図
【符号の説明】
【００１４】
０１００      装飾シート
０１１０      シート本体
０１２０      ダミー背表紙配置領域
０１２１      ダミー背表紙
【発明を実施するための形態】
【００１５】
以下に、本発明の実施例を説明する。実施例と請求項の相互の関係は以下のとおりである。実施例１は主に請求項１などに関し、実施例２は主に請求項２などに関し、実施例３は主に請求項３、請求項４などに関し、実施例４は主に請求項５などに関する。なお、本発明はこれら実施例に何ら限定されるものではなく、その要旨を逸脱しない範囲において、種々なる態様で実施しうる。
【実施例１】
【００１６】
<概要>
【００１７】
本実施例の発明は、書棚等に並べられた複数の書籍の背表紙を覆うように全体に巻き回して用いる装飾シートであって、シートにダミーの背表紙を配置することで、実際の書籍を別の書籍に見せるようにしたものである。
【００１８】
<構成>
【００１９】
（全般）
【００２０】
図１は、本実施例の装飾シートの形状の一例を示す図である。本実施例の装飾シート０１００は、書棚等に並べられた複数の書籍の全体に巻き回して背表紙を覆うことで実際に並べられている書籍の背表紙を隠してダミーの書籍の背表紙を見せるためのものであって、シート本体０１１０と、ダミー背表紙配置領域０１２０とを有する。
【００２１】
本実施例において背表紙を覆う対象となる実際に書棚等に並べられた書籍（以下「対象書籍」ということがある）の種類に特に限定はないが、例えば、マンガ、趣味や娯楽に関する実用書などが主な対象として想定されている。これは、これらの書籍が他人に見られて恥ずかしいといった思いをしたり、表紙やタイトルがむき出しになっていると雑然とした印象を与え見た目も悪かったりするものの代表的なものであると一般に考えられるためである。なお、「書棚等」は通例複数の書籍が並べられる場所を例示したものにすぎず、本発明の対象書籍の配置場所を限定するものではない。本発明の装飾シートで覆う対象となる書籍の配置場所としては、複数の書籍が並べられる場所として通例考えられる場所がすべて含まれ、例えば、書棚、本箱などのほか、机上にブックエンドを用いて書籍を並べているような場合における当該机上なども含まれる。
【００２２】
（シート本体）
【００２３】
シート本体は、所定の判型の書籍高さ（図１にｈで示す）を有する横長の部材である。「所定の判型」とは、ＪＩＳ規格などで定められているＡ４判、Ｂ５判などの判型をいう。「所定の判型の書籍高さ」とは、これら規格で定められている縦の寸法であって、対象書籍の高さ（書籍を垂直に立てて置いたときの高さ）をいい、例えば、対象書籍が文庫本の寸法のもの（Ａ６判）であればその高さである１４８ミリメートル、Ｂ６判であればその高さである１８２ミリメートルといった寸法がこれにあたる。換言すれば、シート本体は縦の寸法が所定の判型の書籍高さを有し、横の寸法が当該縦の寸法より長い横長の略長方形状のものである。略長方形状には、例えばシート本体の先端部分を書籍の表紙の内側に折り込んだ時に外にはみ出さないように当該先端部分を若干先細りにしたり、後述するようにダミー背表紙を実際の書籍の背表紙らしく見せるために上下に凹凸をつけたりした形状などが含まれる。
【００２４】
シート本体の縦の寸法を所定の判型の書籍高さとする目的は、この寸法を対象書籍の背表紙の高さと一致させることで、シート本体に配置されているダミーの背表紙があたかも当該対象書籍の実際の背表紙であるかのように見せることにある。この目的が達成される範囲であれば、通例の書籍カバーがそうであるように、シート本体の縦の寸法は対象書籍の高さよりも若干（概ね１％程度以内）長くてもよい。例えば、Ａ６判の書籍を覆うためのシート本体の寸法が１５０ミリメートルといったものであってもよい。
【００２５】
シート本体の横の長さは、複数の書籍の全体に巻き回すことができる長さに規定される。「巻き回す」とは、通例の書籍カバーと同様に、書籍の表表紙、背表紙、裏表紙の順（あるいは逆の順）に書籍を垂直に立てた状態で見て横方向に書籍に巻き付けるようにしてシート本体で書籍を覆うことをいう。ただし、通例の書籍カバーが一冊の書籍に巻き回されるものであるのとは異なり、本実施例の装飾シートのシート本体は、複数の書籍の全体に巻き回すことができるようになっている点に特徴がある。このため、シート本体の横の長さは、通例の書籍カバー（これも横長であるが）よりもさらに横長のものとなる。実際の長さは、例えば、Ａ６判の書籍（表紙の横の長さは１０５ミリメートル）であって一冊の厚さが１５ミリメートルの書籍を十冊並べたものに巻き回す場合は、表紙の裏に折り返される部分や、小口を覆う位置まで達する部分を含め、概ね４００〜４５０ミリメートルの長さであるものが考えられる。ただしこれはあくまで一例にすぎず、シート本体の横長さは、書籍の厚さや冊数に応じて適切に設計される。
【００２６】
シート本体の長さを一冊ではなく「複数の」書籍の全体に巻き回せる長さにする理由は、主に想定されているマンガなどのように、複数巻で構成される書籍を一枚のシートで覆えるようにするためである。なお、これら複数の書籍は必ずしもはじめから全冊が書棚に並べられているものではなく、例えば毎月一巻ずつ発行されるものを逐次並べていくといったことも多い。このため、後述するように、本実施例の装飾シートは、冊数の増加に応じて簡単に巻き回し直すことができるように構成されていることが望ましい。
【００２７】
シート本体の材料は、書籍に巻き回すことができるものであることが必要であるので、可撓性の材料であることが求められる。また、その表面にダミー背表紙を印刷したり、後述するように、着脱自在のダミー背表紙を貼り付けたりすることができるものであることが求められる。かかる性質を備えた好適な材料としては、紙、布、ビニールなどが挙げられる。なお、シート本体を可撓性の薄膜ディスプレイとしてもよく、かかる例については別の実施例にて後述する。
【００２８】
（ダミー背表紙配置領域）
【００２９】
ダミー背表紙配置領域は、シート本体に配置されるシート本体の高さに相当するダミー背表紙を横方向に複数並べて配した領域である。図１には、シート本体に、シート本体の高さに相当するダミー背表紙０１２１を横方向に複数（本図の例では１０個）並べて配したダミー背表紙領域０１２０が示されている。「ダミー背表紙」とは、対象書籍の背表紙に見せかけるためにシート本体に配置されている背表紙をいう。対象書籍の背表紙に見せかけるための方法としては、例えば、別の書籍の背表紙を並べた写真をシート本体の当該領域に印刷することが考えられる。あるいは、ダミー背表紙が、別の書籍の背表紙を印刷したラベルであって当該領域に着脱できるようにしたものであってもよい。すなわち、シート本体に「配置されている」とは、印刷などのようにシート本体の一部として一体的に配置されている場合と、着脱自在のラベルのように別部材を後から装着することで配置する場合の双方を含む概念である。ダミー背表紙がシート本体に対して着脱自在であるように構成した例については別の実施例にて後述する。
【００３０】
ダミー背表紙の高さをシート本体の高さに相当するものにする理由は、ダミー背表紙をあたかも実際に並べられている書籍の背表紙のように見せるためである。すなわち、前述のように、シート本体の縦の寸法が対象書籍の背表紙の高さに合わせた寸法になるように構成されるので、ダミー背表紙の高さをシート本体の高さに合わせることで、ダミー背表紙の高さが対象書籍の背表紙の高さに合わせられることとなり、ダミー背表紙をあたかも実際に並べられている書籍の背表紙のように見せるという目的を達成することができる。
【００３１】
また、ダミー背表紙を横方向に複数並べて配するようにした理由は、前述のように、一枚のシート本体で複数の書籍を覆うことができるようにしたことに対応して、複数のダミー背表紙で実際に並べられている複数の書籍の背表紙のように見せるためである。
【００３２】
図２は、本実施例の装飾シートの使用状態の一例を示す図である。このうち、（ａ）は、装飾シートを取り付ける前の、単に書棚（図示を省略）に並べられた状態の書籍０２０１（本図の例では並べられた５冊のマンガ）を示す。また、その横にはこれに取り付けられるべき装飾シート０２００（図１に示したものと同様のもの）を示した。（ｂ）は、当該書籍０２０１に当該装飾シート０２００を取り付けた状態を示す。このとき、（ａ）に示した装飾シートが折り曲げられて書籍全体に巻き回されるようにして取り付けられることになる。（ａ）に示す装飾シートにおいてａ〜ｆで示した位置が書籍に巻き回すために折り曲げられる位置であって、それぞれが（ｂ）に示す装飾シートにおけるａ〜ｆの位置に対応している。本図の例では、装飾シートがｂの位置で山折りされてａｂ間の部分は書籍の表表紙と見返し（本図には現れない）の間に挿入される。また、ｂｃ間の部分は書籍の表表紙を覆う位置に配置される。ｃｄ間の部分は書籍の表表紙を覆う位置に配置される。ｄｅ間の部分は書籍の裏表紙を覆う位置に配置される。ｅｆ間の部分は書籍の小口の一部を覆う形で配置される。このようにして、実際に並べられている書籍の背表紙とは異なるダミー背表紙０２２１のうちｃｄ間の部分が実際の書籍の背表紙を覆う位置に配置される結果、当該ダミー背表紙があたかも実際に並べられている書籍の背表紙であるかのように見せることが可能となる。なお、本図では図示が省略されているが、書棚の左右には通例不透明な材料からなる壁が配置されている。この場合、書棚に並べられた書籍が書棚の横幅一杯を占めており、従って表表紙及び裏表紙は外からは見えない状態になっている場合であれば、本図の例のように表表紙を覆う位置には何も描かれていない状態であっても、実際の書籍のように見せかける上で問題ない。同様に、裏表紙を覆う位置にダミー背表紙が描かれている状態になっていても問題ない。なお、小口の一部をダミー背表紙の一部で覆う形になっていても、そもそも小口は通例やはり不透明な材料からなる壁に面していて外から見えないので問題ない。これに対して、書棚に並べられた書籍が書棚の横幅一杯を占めておらず、表表紙もしくは裏表紙が外から見える状態になっている場合には、当該表紙のダミーとなる表紙が必要となる。この場合、ダミー表表紙もしくはダミー裏表紙のいずれか一方は、書籍の冊数にかかわりなく同じ位置に配置されることになるので、ダミー背表紙と同様にあらかじめ当該位置にダミー表表紙もしくはダミー裏表紙を印刷などによって配置しておけば足りる（図２では図示を省略した）。ダミー表表紙やダミー裏表紙を着脱自在にした例は次実施例にて後述する。
【００３３】
ダミー背表紙のデザインは、対象書籍の背表紙と異なるものであれば、どのようなものであってもよいが、前述した本発明の主要な意義である、マンガのように書棚にたくさん並べられているのを他人に見られると恥ずかしい書籍の背表紙を隠すといった点に照らせば、これとは対照的にアカデミックな印象を与えるような書籍の表紙、例えば百科事典や洋書、学術書などの表紙を模したデザインのものが適していると考えられる。図１、図２の例は、ダミー背表紙のデザインが百科事典の表紙のデザインを模したものである例である。なお、ダミー表表紙やダミー裏表紙を印刷しておく場合には、実際の書籍が並べられているように見せるという観点に照らし、ダミー背表紙のデザインと調和のとれたものであることが望ましい。
【００３４】
さらに、ダミー背表紙のデザイン自体に、より実際の背表紙らしく見せるための工夫が施されたものであってもよい。前出の図１（図２も同様である）には、かかる工夫の一例として、背表紙の上端０１２１ａ及び下端０１２１ｂに若干の丸みを帯びさせるとともに、背表紙と背表紙の間０１２１ｃに陰影をつけた例を示した。
【００３５】
なお、ダミー背表紙の幅は、対象書籍の背表紙の幅と一致していることが望ましい。これは、対象書籍が一冊増えるごとに増加する対象書籍の背表紙上のダミー背表紙配置領域が背表紙単位で増加していく必要があり、背表紙の途中で折り曲げられた状態にならないようにするためである。
【００３６】
図３は、ダミー背表紙の幅と対象書籍の背表紙の幅との関係の一例を示す図である。このうち（ａ）は両者の幅が一致している好適な例であるのに対し、（ｂ）は両者の幅が一致していないため対象書籍が一冊増えたときにダミー背表紙が途中で折り曲げられた状態となって実際に並べられている書籍の表紙のように見えない状態となっている不適切な例である。なお、かかる観点からは、書籍の天部分が外から見えないように並べられている場合であれば、対象書籍の背表紙の幅がダミー背表紙の幅の整数倍のものであってもよい。
【００３７】
ダミー背表紙配置領域は、ここにダミー背表紙を印刷した際に実際の背表紙のように見せかけるのに適した材料であることが望ましい。かかる観点からダミー背表紙配置領域の材料は実際の背表紙に用いられる材料と同様の材料、例えば、紙、布、ビニールなどが好適である。そこで、シート本体とこれに配置されるダミー背表紙配置領域の材料を統一することで、装飾シートを単一材料で構成される一枚の横長のシートとすることができる。
【００３８】
（実際に並べられている書籍を簡単に識別できるようにするための構成）
【００３９】
ところで、以上に述べたような装飾シートは、書棚等に実際に並べられているマンガなどの背表紙を隠すことができるという意義を有する半面、実際に並べられている書籍が何であるかが簡単にわからないようにしてしまったのでは、読書に支障をきたし、かえって不便である。そこで、本実施例の装飾シートは、実際に並べられている書籍が何であるかを簡単に確認することができるように工夫されたものであることが望ましい。
【００４０】
かかる工夫の一例として、ダミー背表紙の一部に、実際に並べられている書籍を識別するためのシールが備えられているものが考えられる。前出の図１、図２に示したシート本体も、ダミー背表紙の一部に実際に並べられている書籍を識別するためのシール０１２１ｄ、０２２１ｄが備えられている例である。当該シールは、他人が見ても実際に並べられている書籍を識別できず、本人だけが簡単に識別できるものであることが望ましい。このため、当該シールには実際の書籍のタイトルなどは記載せず、本人だけがわかる目印（記号やアルファベットなど）を記したり、シールの色や形状で区別したりすることが考えられる（その際に、目印や色、形状と実際の書籍のタイトルの対照表を別途作成しておき、この対照表を参照して実際の書籍のタイトルを簡単に識別できるようにしておいてもよい）。さらに、他人が見る機会があるときにはこのシールを取り外しておくことができるようにするため、当該シールはダミー背表紙に対して着脱自在に構成されたものであってもよい。
【００４１】
<効果>
【００４２】
本実施例の発明により、書棚等に並べられた複数の書籍の背表紙を一枚のシートで覆うことで簡単に目隠しをすることができ、書籍の冊数が少しずつ増えていった場合でも簡単に巻き直すことで一枚のシートで対応できる装飾シートを提供することができる。
【実施例２】
【００４３】
<概要>
【００４４】
本実施例の装飾シートは、シート本体に着脱自在なダミー表表紙シート又は／及び裏表紙を有する点に特徴がある。
【００４５】
<構成>
【００４６】
（全般）
【００４７】
本実施例の装飾シートは、実施例１の装飾シートと基本的に共通する。ただし、本実施例の装飾シートは、さらに複数の書籍に巻き回した際に端部に配置される書籍の表表紙（おもてびょうし）又は／及び裏表紙に相当する前記シート本体の部分に前記所定の判型のサイズの着脱自在なダミー表表紙シート又は／及びダミー裏表紙シートを有する。以下、ダミー表表紙シート・ダミー裏表紙シートの構成について説明する。その余の構成は実施例１と同様であるから説明を省略する。
【００４８】
（ダミー表表紙シート・ダミー裏表紙シート）
【００４９】
ダミー表表紙シートは、装飾シートを複数の書籍に巻き回した際に端部に配置される書籍の表表紙に相当するシート本体の部分に配置される部分であって、シート本体と同一の所定の判型のサイズを有する、シート本体に対して着脱自在なシートである。同様に、ダミー裏表紙シートは、装飾シートを複数の書籍に巻き回した際に端部に配置される書籍の裏表紙に相当するシート本体の部分に配置される部分であって、シート本体と同一の所定の判型のサイズを有する、シート本体に対して着脱自在なシートである。
【００５０】
図４は、本実施例の装飾シートの形状の一例を示す図である。このうち（ａ）は、装飾シート０４００が着脱自在なダミー表表紙シート０４３０とダミー裏表紙シート０４４０を有する例を示す。
【００５１】
着脱自在なダミー表表紙シート、ダミー裏表紙シートを備える目的は次のとおりである。書棚等に左右に隙間が生じない程度に書籍がびっしりと並べられている場合は、書籍の背表紙のみが見え、表表紙及び裏表紙は、両端に配置された書籍についても見えない。従って、この場合には、対象書籍を覆う装飾シートはダミー背表紙を備えていれば足り、ダミー表表紙やダミー裏表紙は不要である。しかし、書棚等に書籍がびっしりとは並べられておらず、左右のどちらかにに隙間が生じる場合は、書籍の背表紙だけでなく表表紙又は裏表紙のいずれか一方も見えてしまうので、表表紙又は裏表紙を覆うためのダミー表表紙又はダミー裏表紙も必要となる。さらに、机上にブックエンドを用いて書籍を並べている場合などには、表表紙と裏表紙の両方が見えてしまう場合も考えられ、この場合にはこれを覆うためのダミー表表紙とダミー裏表紙の両方が必要となる。このように、書籍が並べられた状態によっては、背表紙だけでなく表表紙又は／及び裏表紙も覆う必要がある。そこで、このような場合に表表紙又は／及び裏表紙を覆うためにこれらのダミー表紙シートを備えることとしたものである。
【００５２】
この場合、通例は、図２に示した使用状態のように、シート本体の一端を表表紙もしくは裏表紙の内側に折り込むようにするので、当該折込み側の表紙は配置位置が決まっているため、当該表表紙（もしくは裏表紙）はシート本体に印刷しておけば足り、着脱自在にする必要はない。しかし、例えば、一枚のシート本体に何種類かの異なるデザインのダミー背表紙を配置するようにし、対象書籍の背表紙を覆う位置に配置されるダミー背表紙のデザインを気分などによって変えるというものも考えられる。この場合には、ダミー背表紙の位置の変化に応じてダミー表表紙とダミー裏表紙の双方の位置も変化するため、ダミー表表紙とダミー裏表紙の双方を着脱自在にしておく必要がある。
【００５３】
ダミー表表紙シート、ダミー裏表紙シートが、シート本体と同一の所定の判型のサイズを有するようにしている理由は、前述のダミー背表紙の高さをシート本体の高さに相当するものにする理由と同様であって、ダミー表表紙、ダミー裏表紙をあたかも実際に並べられている書籍の表表紙、裏表紙のように見せるためである。従って、少なくともダミー表表紙やダミー裏表紙が接しているダミー背表紙は統一的なデザインとするなどあたかも一冊の本の表表紙（又は裏表紙）と背表紙のように見えるデザインとすることが望ましい。
【００５４】
ダミー表表紙又はダミー裏表紙を着脱自在にするための方法としては、例えばダミー表表紙（ダミー裏表紙）の裏面に着脱自在な接着剤を塗布したものとすることや、ダミー表表紙（ダミー裏表紙）の着脱を面ファスナーを用いて行うことなどが考えられる。
【００５５】
なお、本実施例とは異なるが、対象書籍がブックエンドを用いて並べられている場合に用いるために、ダミー表表紙又は／及びダミー裏表紙がブックエンドの外側面に配置されたものであってもよく、この場合に、当該配置を印刷によって行っても、あるいは着脱自在なシールを取り付けることによってもよい。
【００５６】
<効果>
【００５７】
本実施例の発明により、書棚等に並べられた複数の書籍の表表紙や裏表紙が見えるような場合でも、別の書籍の表表紙や裏表紙であるかのように見せることができ、これによって実際に並べられているのとは別の書籍が並べられているように見せることが可能となる。
【実施例３】
【００５８】
<概要>
【００５９】
本実施例の装飾シートは、ダミー背表紙がシート本体に対して着脱自在であるものである。また、シート本体が透明シートであるものも本実施例の装飾シートに含まれる。
【００６０】
<構成>
【００６１】
（全般）
本実施例の装飾シートは、実施例１又は２と基本的に共通する。ただし、本実施例の装飾シートは、ダミー背表紙がシート本体に対して着脱自在である点に特徴がある。
【００６２】
（ダミー背表紙：着脱自在）
【００６３】
本実施例の装飾シートにおけるダミー背表紙は、シート本体に対して着脱自在であるように構成されている。その目的は以下のとおりである。
【００６４】
書棚等に並べられた書籍はすべてが同一の高さであるとは限らず、高さが不揃いである場合も考えられる。このようなケースにおいて略長方形状のシート本体をこれらの書籍に巻き回す場合、例えばすべての背表紙が隠れるように最も高さの高い書籍に合わせた高さを有するシート本体を巻き回すと、高さの低い書籍の天部分がシート本体のダミー背表紙よりも一段低い位置になり、実際の書籍の背表紙らしく見えなくなってしまう。一方、最も低い書籍の高さに合わせたシート本体を巻き回したのでは、そもそもすべての書籍の背表紙を隠すことができず、やはり実際の書籍の背表紙らしく見えなくなってしまう。そこで、様々な高さの着脱自在なダミー背表紙を用意しておき、並べられているそれぞれの高さに合ったものを貼り付けるようにすれば、すべての書籍の背表紙を隠すことができ、しかもどの書籍の天もダミー背表紙の高さと同じ高さに現れるので、全体について実際の書籍の背表紙のように見せることが可能となる。
【００６５】
図５は、本実施例の装飾シートの使用状態の一例を示す図である。このうち、（ａ）は、装飾シートを取り付ける前の、単に書棚（図示を省略）に並べられた状態の高さが不揃いの書籍０５０１（本図の例では並べられた５冊のマンガ等）を示す。このような書籍に対して本実施例の装飾シートを用いて目隠しをする場合、まず、最も高さの低い書籍の高さに合う装飾シートを巻き回して取り付ける。（ｂ）は、このような装飾シート０５００を書籍０５０１全体に巻き回した状態を示す。この状態では、最も高さの低い書籍以外の書籍の背表紙の一部や、さらには表表紙の一部も装飾シートからはみ出した状態になっている。そこで、（ｃ）に示すように、それぞれの高さに見合う着脱自在なダミー背表紙をそれぞれの書籍の背表紙を覆うようにして貼り付ければよい。この場合、同じ高さの書籍が複数並んでいる場合には、一冊分ずつのダミー背表紙０５２１ａ、０５２１ｂを別々に貼り付けてもよいし、複数冊分（本図の例では二冊分）のダミー背表紙を印刷した一枚のシート０５２１ｃを貼り付けてもよい。すなわち、本実施例の着脱位自在なダミー背表紙は一冊分の背表紙であってもよいし、複数冊分の背表紙を並べて配置したものであってもよく、これらを実際の書籍の並べ方に応じて適宜選択して貼り付けていくようにすればよい。さらに、表表紙や裏表紙がはみ出す場合には、前実施例で述べた着脱自在なダミー表表紙やダミー裏表紙を貼り付ければよい。
【００６６】
その際、すべての書籍に対して着脱自在なダミー背表紙を取り付けるようにしてもよく、この場合には、シート本体自体はダミー背表紙が印刷されていない白紙のシートであってもよい。あるいは、シート本体が透明シートであってもよい。この点については後述する。
【００６７】
さらに、シート本体にもダミー背表紙が印刷されていてもよく、この場合には、最も高さの低い書籍に合わせたシート本体を全体に巻き回した上で、これを超える高さの書籍についてだけ着脱自在なダミー背表紙を取り付けるようにすることが可能となる。図５の例も、最も高さの低い左端の書籍のダミー背表紙については、はじめに巻き回した本体シートに印刷されているダミー背表紙をそのまま用いている例である。
【００６８】
ダミー背表紙を着脱自在にするための方法としては、前実施例でダミー表表紙、ダミー裏表紙について述べたところと同様、例えばダミー背表紙を裏面に着脱自在な接着剤を塗布したものとしたり、面ファスナーを用いたりといった方法が考えられる。
【００６９】
（シート本体：透明シート）
【００７０】
ダミー背表紙を着脱自在にする場合に、さらにシート本体が透明シートであってもよい。このように構成する目的は次のとおりである。
【００７１】
実施例１で述べたように、本発明にかかる装飾シートは書棚等に実際に並べられているマンガなどの背表紙を隠すことができるという意義を有する半面、実際に並べられている書籍が何であるかが簡単にわからないようにしてしまったのでは、実際の読書に支障をきたし、かえって不便である。そこで、ダミー背表紙を着脱自在にするとともに、シート本体を透明シートすることで、ダミー背表紙を剥がすだけで実際に並べられている書籍が何であるかを簡単に確認することができるようにしたものである。
【００７２】
透明シートの材料としては、例えば軟質ポリ塩化ビニル（ＰＶＣ）など通例の透明書籍カバーに用いられる材料と同様のものを用いればよい。
【００７３】
<効果>
【００７４】
本実施例の発明により、書棚等に並べられた書籍の高さが不揃いであってもすべての書籍の背表紙を実際の書籍の背表紙らしく見せることが可能となる。さらに、シート本体を透明シートすることで、実際に並べられた書籍が何であるかを簡単に確認することができる。
【実施例４】
【００７５】
<概要>
【００７６】
本実施例の装飾シートは、シート本体が可撓性の薄膜ディスプレイであるものである。
【００７７】
<構成>
【００７８】
（全般）
本実施例の装飾シートは、実施例１又は２と基本的に共通する。ただし、本実施例の装飾シートは、シート本体が可撓性の薄膜ディスプレイである点に特徴がある。
【００７９】
（シート本体：可撓性の薄膜ディスプレイ）
【００８０】
本実施例の装飾シートにおけるシート本体は、可撓性の薄膜ディスプレイである。このように構成する目的は、シート本体を可撓性の薄膜ディスプレイとすることで、ダミー背表紙をディスプレイ（表示画面）に表示することを可能にし、もって自由に表示内容を切り替えることができ、例えば気分に応じて装飾シートのデザインを自由に変えることを可能にすることにある。ワンタッチで表示内容を切り替えることができるため、紙や布などの装飾シートの場合と異なりデザインを変える場合にシートを巻き回し直す手間すら不要となるという利点があり、また、紙や布などのシートの場合には、デザインの数だけ別々のシートを用意しなければならないのに対し、本実施例によればこれが不要になるという利点もある。
【００８１】
図６は、本実施例の装飾シートの使用状態の一例を示す図である。本図の装飾シートは、（ａ）に示すような薄膜ディスプレイ０６００を対象書籍０６０１対して巻き回すようにして取り付けるものである。本実施例における薄膜ディスプレイは可撓性を有するため、このような巻き回しが可能である。そして、対象書籍の背表紙を覆う位置にダミー背表紙の画像を表示することで、別の書籍の背表紙のように見せることができる。（ｂ）は、このようにして装飾シートを対象書籍に巻き回して取り付けた状態で、ダミー背表紙をディスプレイに表示した状態を示す。（ｃ）は、ダミー背表紙のデザインを（ａ）に示されたデザインから変更した状態であり、シートを改めて巻き回す必要がなく、ワンタッチ操作で（例えばタッチ式のディスプレイであればディスプレイに対するタッチ操作だけで）簡単にダミー背表紙のデザインを変更することができる。また、必要があればダミー表表紙やダミー裏表紙のデザインも同様にして簡単に変更することができる。（ｄ）は、（ａ）の状態から他の５冊とは厚さの異なる１冊の書籍が追加された状態を示す。この場合、紙や布などのシートであればダミー背表紙の厚さがこれに合うように描かれた装飾シートをわざわざ用意しなければならないが、本実施例の装飾シートであれば、画像加工ソフトなどを用いてディスプレイに表示するダミー背表紙のデザインを自由に変えることができるため、このように厚さの異なる書籍が追加された場合でもダミー背表紙の途中で折り曲げられた状態にならないようにすることが容易となる。
【００８２】
可撓性の薄膜ディスプレイとしては、近年普及している液晶ディスプレイ、有機ＥＬディスプレイなど様々なタイプのものを利用することができる。
【００８３】
<効果>
【００８４】
本実施例の発明により、ダミー背表紙の表示内容を自由に切り替えることができ、例えば気分に応じて装飾シートのデザインを変えることが可能となる。
【図１】
2015107597.tif 000003
【図２】
2015107597.tif 000004
【図３】
2015107597.tif 000005
【図４】
2015107597.tif 000006
【図５】
2015107597.tif 000007
【図６】
2015107597.tif 000008